(57)【特許請求の範囲】
【請求項１】
以下：
ａ．１から８個までの炭素原子を有するＨＦＣ類、ＨＦＯ類およびＨＦＣＯ類からなるグループから選択される１種類以上のフッ素化有機化合物を含む第１液相冷媒流を蒸発させて低圧気相冷媒流を生成し、ここで前記の蒸発が系から熱を伝達して冷却させ；
ｂ．前記の低圧気相冷媒流を、その冷媒中の炭素／酸素原子の総数よりも少なくとも２大きい炭素／酸素原子の総数を有するフルオロエーテル類、フルオロケトン類、ＨＦＣ類、ＨＦＯ類およびＨＦＣＯ類からなるグループから選択される１種類以上の有機化合物を含む第１液相溶媒流と、その気相冷媒流の冷媒の実質的に全部をその第１液相溶媒流の溶媒中に溶解させるのに有効な条件下で接触させて、冷媒−溶媒溶液流を生成し；
ｃ．その冷媒−溶媒溶液流の圧力および温度を増大させ；
ｄ．前記の冷媒−溶媒溶液流を熱力学的に分離して高圧気相冷媒流および第２液相溶媒流にし；
ｅ．前記の第２液相溶媒流を工程（ｂ）に再循環させて前記の第１液相溶媒流を生成し；
ｆ．前記の高圧気相冷媒流を凝縮して第２液相冷媒流を生成し；そして
ｇ．前記の第２液相冷媒流を工程（ａ）に再循環させて前記の第１液相冷媒流を生成する
を含む、吸収冷凍を提供するための方法。
【請求項２】
前記の第１液相溶媒流中の前記の１種類以上の有機化合物が、前記の第１液相冷媒流中の１種類以上のフッ素化有機化合物の沸点よりも少なくとも４０℃高い沸点を有する、請求項１に記載の方法。
【請求項３】
前記の第１液相冷媒流中の前記の１種類以上のフッ素化有機化合物が、１，１，１，２−テトラフルオロプロペン、ジフルオロメタン、トランス−１，１，１，３−テトラフルオロプロペン、シス−１，１，１，３−テトラフルオロプロペン、３，３，３−トリフルオロプロペン、およびそれらの組み合わせの内の１種類以上から選択される、請求項１に記載の方法。
【請求項４】
前記の第１液相溶媒流中の有機化合物が、ノナフルオロブチルエーテル、ペルフルオロ（２−メチル−３−ペンタノン）、１，１，１，３，３−ペンタフルオロプロパン、１−クロロ−３，３，３−トリフルオロプロペン、およびそれらの組み合わせからなるグループから選択される、請求項１に記載の方法。
【請求項５】
前記の第１液相冷媒流中の前記の１種類以上のフッ素化有機化合物が１，１，１，２−テトラフルオロプロペン、ジフルオロメタン、トランス−１，１，１，３−テトラフルオロプロペン、シス−１，１，１，３−テトラフルオロプロペン、３，３，３−トリフルオロプロペン、およびそれらの組み合わせの内の１種類以上から選択され、前記の第１液相溶媒流中の前記の有機化合物がノナフルオロブチルエーテル、ペルフルオロ（２−メチル−３−ペンタノン）、１，１，１，３，３−ペンタフルオロプロパン、１−クロロ−３，３，３−トリフルオロプロペン、およびそれらの組み合わせからなるグループから選択される、請求項１に記載の方法。
【請求項６】
前記の第１液相冷媒流中の前記の１種類以上のフッ素化有機化合物が式ＣｗＨｘＦｙＣｌｚを有する少なくとも１種類の化合物を含み、ここでｗは３から５までの整数であり、ｘは１から３までの整数であり、ｚは０から１までの整数であり、そしてｙ  ＝  ２ｗ−ｘ−ｚである、請求項１に記載の方法。
【請求項７】
前記の溶媒がポリエチレングリコール油、ポリオールエステル油、ポリプロピレングリコールジメチルエーテルに基づく油および鉱油からなるグループから選択される、請求項１に記載の方法。
【請求項８】
以下：
ａ．ＨＦＣ類、ＨＦＯ類およびＨＦＣＯ類からなるグループから選択される１種類以上のフッ素化有機化合物からなるグループから選択される冷媒；
ｂ．その冷媒の沸点よりも少なくとも４０℃高い沸点を有する１から８個までの炭素原子（Ｃ１〜Ｃ８）を有する１種類以上のフッ素化有機化合物を含む吸収剤；
ｃ．前記の冷媒を蒸発させるのに適した蒸発装置；
ｄ．前記の冷媒を前記の吸収剤と混合するのに適したミキサー、ここで前記のミキサーは前記の蒸発装置に流体的に接続されている；
ｅ．前記の冷媒の少なくとも一部を前記の吸収剤中に溶解させて溶液を生成するのに適した吸収装置、ここで前記の吸収装置は前記のミキサーに流体的に接続されている；
ｆ．前記の吸収装置に流体的に接続されたポンプ；
ｇ．前記のポンプに流体的に接続された熱交換器；
ｈ．前記の溶液を蒸気冷媒構成要素および液体吸収剤構成要素に熱力学的に分離するのに適した分離装置、ここで前記の分離装置は前記の熱交換器に流体的に接続されている；
ｉ．前記の分離装置および前記のミキサーに流体的に接続された戻り油ライン、ならびに
ｊ．前記の蒸気冷媒構成要素を凝縮するのに適した凝縮装置、ここで前記の凝縮装置は前記の分離装置および前記の蒸発装置に流体的に接続されている
を含む、吸収冷凍系。
【発明の詳細な説明】
【技術分野】
【０００１】
関連出願への相互参照
この出願は２０１０年４月１日に出願された米国仮出願一連番号６１／３２０，３０５に関し、およびその優先権の利益を主張し、その内容を本明細書に援用する。
【０００２】
本出願は、２００９年４月２９日に出願された米国出願一連番号１２／４３２，４６６の一部継続出願でもあり、それは２００８年４月３０日に出願された米国仮出願一連番号６１／０４９，０６９に対して優先権を主張し、そのそれぞれの内容を本明細書に援用する。
【０００３】
この発明は、低い地球温暖化係数（ＧＷＰ）および低いオゾン破壊係数（ＯＤＰ）を有する冷媒を用いる経済的な吸収冷凍系に関する。
【背景技術】
【０００４】
吸収冷凍は、廃熱または他の低コストな熱（例えば太陽熱加熱）が利用可能である場合の、圧縮冷凍に対するより経済的な代替策である。従って、吸収冷凍は高温環境において作動する冷却系の環境への影響の低減において非常に重要な役割を果たす可能性を有する。
【０００５】
吸収冷凍機および蒸気圧縮冷凍機は両方とも非常に低い沸点を有する冷媒を用いる。両方のタイプにおいて、この冷媒が蒸発する、または沸騰する際に、それはそれと共にいくらかの熱を持ち去り、冷却作用を提供する。しかし、吸収冷凍および蒸気圧縮冷凍は、そのサイクルが繰り返すことができるように冷媒がガスから変化して液体に戻る方式が異なる。蒸気圧縮冷凍機は、しばしば電動圧縮機により供給される機械的仕事を用いてそのガスへの圧力を増大させ、次いでその熱い高圧のガスを冷たい流体（通常は空気）との熱交換により凝縮して液体に戻す。吸収冷凍機はそのガスの圧力を増大させるために機械的仕事を用いず、低出力ポンプのみまたは場合により熱のみを必要とする異なる方法を用いてそのガスを変化させて液体に戻し、それによりより少ない稼動部を有する系を提供し、それはその系の全体的な寿命を増大させる。
【０００６】
住宅および商業建築物はエネルギーの大きな消費者であり、絶えず変化する需要を有する電気の主な消費者である。低〜中程度の需要の期間の間、電気は原子力、石炭、または水力電気エネルギー源を利用する最も効率的な設備により生産され、これはこの設備がほぼ持続的に運転されているためである。しかし、ピーク需要の間、典型的には天然ガスまたは燃料油で動く、より費用がかからずより効率の悪い設備が用いられ、それは油を使用する場合は燃料の安全性、天然ガスに関しては価格の安定性に関する懸念を生じさせる。ピーク需要は、発電および配電系統が含まれるその電気系統の全体の大きさも設定する。加えて、その発電または送電系統がそれらの限界にある時に需要を低減することは、電気供給の信頼性を向上させ、重大なマイナスの経済的影響を有し得る停電を避けるための有効な方法である。
【０００７】
太陽エネルギーは比較的安価なコレクターパネルの使用により利用することができ、その太陽エネルギーは、典型的には凝固点を抑えるために添加されるグリコール類を含む水である作動流体に伝達される。次いでこの流体が熱源になり、それがその吸収冷却系を動かす。加えて、冷却が必要でない場合、これは飲用水を加熱するために用いることができる。新規の設置に関する追加の利益は、その基本の蒸気圧縮冷却系は小型化することができ、それによりより少ない周期動作（ｃｙｃｌｉｎｇ）で作動することができ、それはこの系の性能を向上すると考えられることである。また、吸収冷凍は、それは典型的にはこれらの系への負荷を増大させる同じエネルギーの源、すなわち太陽エネルギーを用いて必要な冷却を提供する能力を持つため、そのような環境において利点を有し得る。
【０００８】
冷凍サイクルの一般的な例は、食品冷凍機および冷凍庫ならびに空気調和装置である。熱的快適性を提供するための可逆サイクルヒートポンプも、冷媒の蒸発および凝縮の物理的特性を利用することにより作動する。加熱、換気、および冷却（ＨＶＡＣ）適用において、ヒートポンプは通常は熱の流れの方向を逆にすることができるような逆転弁および最適化された熱交換器が含まれる冷凍装置を指す。最も一般的には、その加熱サイクルの間に、ヒートポンプは空気から、または地面から、またはさらには水から熱を引き出す。
【０００９】
吸収系は長年の間使用が限られてきたが、出願者は従来の作動流体はそれらの成功を制限する重大な欠点を有してきたことを認識するようになった。例えば、２種類の最も一般的な吸収冷凍ペアはＮＨ３−水および水−ＬｉＢｒである。ＮＨ３−水は冷媒としてＮＨ３を、吸収剤として水を用いる。ＮＨ３は多くの適用において冷媒として十分に機能するが、ＮＨ３の毒性は公衆により占有され得る場所におけるそれの使用を制限する。加えて、冷却系におけるより一般的な建設資材の１つである銅との併用可能性の問題は、その設置されたＮＨ３−水に基づく系の費用を、より望ましくないおよび／またはより高価な材料を用いなければならないことにより増大させ得る。水−ＬｉＢｒに関して、水は多くの重要な興味深い場合において適切な冷媒ではないため、問題が生じる。出願者は、水は特定の重要な適用においてその実行可能性（ｖｉａｂｉｌｉｔｙ）を制限する２つの主な欠点を有することを理解するようになった。第１は、その低い圧力により、その設備の大きさが多くの適用に関して実用的でなくなることである。第２に、水の凝固点のため、それは０℃より下の温度では用いることができない。結果として、毒性および／または引火性および／または腐食性および／または設備費用のような問題により、そのような系は典型的には産業的設定において、または冷媒の非常に小さい変化のみが必要とされる適用（低能力系、すなわちホテルおよびＲＶにおける一部の冷凍機、とは言え、これらさえもＮＨ３の毒性のために大部分は姿を消した）にのみ用いられる。
【００１０】
従って、出願者は、吸収型冷凍系のためのより安全かつ環境に優しい冷媒に関する継続的な必要性を認識するようになった。出願者は、産業的な熱の回収から住宅用の太陽熱に助けられる冷凍まで様々な適用における使用のための有効かつ環境に許容できる流体を提供することができる系により得られる可能性のある利点も認識するようになった。
【発明の概要】
【００１１】
出願者は、１から８個までの炭素原子（Ｃ１〜Ｃ８）を有するフッ素化有機化合物および特定の態様において特定のハイドロフルオロオレフィンおよび／またはハイドロクロロフルオロオレフィン化合物が含まれるフッ素化有機化合物を含む特定の冷媒／吸収剤ペアは吸収冷凍における使用に十分に適しており、特別な利点を有することを見出した。特定の態様において、本発明に従うフッ素化有機化合物、特に、排他的にではないが、特定のハイドロフルオロオレフィンおよび／またはハイドロクロロフルオロオレフィン化合物、および／またはＣ２〜Ｃ４ハイドロフルオロオレフィンおよび／またはハイドロクロロフルオロオレフィン化合物は冷媒として利用され、その吸収剤部分はフッ素化有機化合物および／または非フッ素化油のどちらかである。ハイドロフルオロオレフィン類、例えばＨＦＯ−１２３４ｙｆ（例えば１，１，１，２−テトラフルオロプロペン）およびＨＦＯ−１２３４ｚｅ（Ｅ）（例えば１，１，１，３−テトラフルオロプロペン）（それらに限定されない）は、優秀な冷凍能力およびそれらを環境に優しいものにする非常に短い大気での寿命を有することが分かっており、本発明に従う使用、好ましくは冷媒としての使用に好ましい。ハイドロクロロフルオロオレフィン類、特にモノクロロトリフルオプロペン類、例えばＨＣＦＯ−１２３３ｚｄ（１−クロロ−３，３，３−トリフルオロプロペン）（それに限定されない）も優秀な冷凍能力およびそれらを環境に優しいものにする非常に短い大気での寿命を有することが分かっており、本発明に従う使用、好ましくは吸収剤としての使用に好ましい。これらの冷媒は、銅およびアルミニウムと併用可能であるという追加の利益も有する。銅およびアルミニウムの使用は両方とも、向上した熱伝達により効率を増大させ、全体の費用を減少させる。
【００１２】
特定の態様において、本発明の吸収冷凍流体は、吸収剤として働き、比較的高い沸点を有する第１のフッ素化有機化合物、および冷媒として働き、比較的低い沸点を有する第２のフッ素化有機化合物を含む。特定の例において、その第１のフッ素化有機化合物を含む吸収剤は、その第２のフッ素化有機化合物を含む溶質の沸点よりも少なくとも４０℃高い沸点を有する。さらなる態様において、その吸収剤化合物は非イオン性化合物であり、また、その冷媒中の炭素／酸素原子の総数よりも少なくとも２（２）大きい炭素／酸素原子の総数を有する。従って、その冷媒が１種類以上のＣ１〜Ｃ４フッ素化化合物、または１種類以上のＣ２〜Ｃ４ハイドロフルオロオレフィンおよび／またはハイドロクロロフルオロオレフィン化合物を含む態様では、その吸収剤化合物は１種類以上のＣ２〜Ｃ８フッ素化化合物、特定の態様において１種類以上のＣ３〜Ｃ８ハイドロフルオロオレフィンおよび／またはハイドロクロロフルオロオレフィン化合物を含む。
【００１３】
そのような態様の特定の観点に従って、その流体の吸収剤部分は、フルオロエーテル類、フルオロケトン類、ＨＦＣ類、ＨＦＯ類（ＨＦＣＯ類が含まれる）、およびこれらのものの組み合わせからなるグループから選択され、そのペアの冷媒部分はＨＦＣ類、ＨＦＯ類（ＨＦＣＯ類が含まれる）、ＣＯ２およびこれらのものの組み合わせからなるグループから選択される。本発明に従う吸収剤としての使用のためのフルオロエーテルの限定的でない例は、メチルノナフルオロブチルエーテルである。本発明に従う吸収剤としての使用のためのフルオロケトンの限定的でない例は、ペルフルオロ（２−メチル−３−ペンタノン）である。本発明に従う吸収剤としての使用のためのＨＦＣの限定的でない例は、ＨＦＣ−２４５ｆａ（例えば１，１，１，３，３−ペンタフルオロプロパン）である。本発明に従う吸収溶媒としての使用のためのＨＦＯの限定的でない例は、ＨＦＯ−１２３３ｚｄであり、ＨＦＯ−１２３３ｚｄ（Ｅ）が含まれる。本発明に従う冷媒としての使用のためのＨＦＯの限定的でない例は、ＨＦＯ−１２３４ｙｆである。本発明に従う冷媒としての使用のためのＨＦＣの限定的でない例は、ＨＦＣ−３２（ジフルオロメタン）である。本発明に従う特に好ましいものは、排他的にではないが、冷媒／吸収剤ペアＨＦＣ３２／ＨＦＣ−２４５ｆａ、ＨＦＣ−３２／ＨＦＯ１２３４ｙｆ、ＨＦＣ−３２／１２３３ｚｄ（Ｅ）およびＨＦＯ−１２３４ｙｆ／１２３３ｚｄ（Ｅ）であり、最も好ましくは、排他的にではないが、ソーラーパワーの形でのエネルギー入力を含む吸収冷凍系と関連したそのようなペアの使用であり、さらにもっと好ましくは、排他的にではないが、商業的な系のピーク需要を減少させるためのそのようなソーラーパワーエネルギー入力の使用である。
【００１４】
特定の他の態様において、本発明に従うそのペアの冷媒部分は特定のハイドロフルオロオレフィンおよび／またはハイドロクロロフルオロオレフィン化合物の中から選択され、その吸収剤および／または溶媒部分は非フッ素化油であり、または非フッ素化油を含み、それは有機性の油、例えばポリアルキレングリコール油、ポリアルファオレフィン油、鉱油、およびポリオールエステル油（これらのものの組み合わせを含む）から選択されてよい。これらの冷媒および油の溶液はその冷媒を吸収型冷凍系において作動流体として用いることを可能にすることが発見されている。これらの冷媒の多くは、低いＧＷＰ（すなわちＣＯ２と比較して１０００未満、または１００未満）を有すること、感知できるオゾン破壊係数が低い、または無いことを特徴とし、非毒性および非引火性である。当業者は、１観点において、本発明にはその冷媒、フッ素化吸収剤および非フッ素化油の組み合わせが含まれることを理解するであろう。
【００１５】
従って、この発明の１観点は、以下を含む冷凍を提供するための方法を含む：（ａ）１から８個までの炭素原子を有する１種類以上のフッ素化有機化合物を含む第１液相冷媒流を蒸発させて低圧気相冷媒流を生成し、ここで前記の蒸発が系から熱を伝達して冷却させ；（ｂ）前記の低圧気相冷媒流を、その冷媒中の炭素／酸素原子の総数よりも少なくとも２（２）大きい炭素／酸素原子の総数を有する１種類以上の有機化合物を含む第１液相溶媒流と、その気相冷媒流の冷媒の実質的に全部をその第１液相溶媒流の溶媒中に溶解させるのに有効な条件下で接触させて、冷媒−溶媒溶液流を生成し；（ｃ）その冷媒−溶媒溶液流の圧力および温度を増大させ；（ｄ）前記の冷媒−溶媒溶液流を熱力学的に分離して高圧気相冷媒流および第２液相溶媒流にし；（ｅ）前記の第２液相溶媒流を工程（ｂ）に再循環させて前記の第１液相溶媒流を生成し；（ｆ）前記の高圧気相冷媒流を凝縮して第２液相冷媒流を生成し；そして（ｇ）前記の第２液相冷媒流を工程（ａ）に再循環させて前記の第１液相冷媒流を生成する。
【００１６】
本明細書で用いられる際、用語“低圧気相冷媒”および“高圧気相冷媒”は互いに相対的なものである。すなわち、低圧気相冷媒は０ｐｓｉａより上であるがその高圧気相冷媒の圧力よりも低い圧力を有する。同様に、高圧気相冷媒はその組成物の臨界点より下であるがその低圧気相冷媒の圧力よりも高い圧力を有する。
【００１７】
本明細書で用いられる際、組成物に関する用語“実質的に全部”は、その組成物の総重量に基づいて少なくとも約９０重量パーセントを意味する。
別の観点において、本発明は以下を含む吸収冷凍系を提供する：
（ａ）１種類以上のフッ素化有機化合物からなるグループから選択される冷媒；（ｂ）その冷媒の沸点よりも少なくとも４０℃高い沸点を有する１から８個までの炭素原子（Ｃ１〜Ｃ８）を有する１種類以上のフッ素化有機化合物を含む吸収剤；（ｃ）前記の冷媒を蒸発させるのに適した蒸発装置；（ｄ）前記の冷媒を前記の吸収剤と混合するのに適したミキサー、ここで前記のミキサーは前記の蒸発装置に流体的に接続されている；（ｅ）前記の冷媒の少なくとも一部を前記の吸収剤中に溶解させて溶液を生成するのに適した吸収装置、ここで前記の吸収装置は前記のミキサーに流体的に接続されている；（ｆ）前記の吸収装置に流体的に接続されたポンプ；（ｇ）前記のポンプに流体的に接続された熱交換器；（ｈ）前記の溶液を蒸気冷媒構成要素および液体吸収剤構成要素に熱力学的に分離するのに適した分離装置、ここで前記の分離装置は前記の熱交換器に流体的に接続されている；（ｉ）前記の分離装置および前記のミキサーに流体的に接続された戻り油ライン、ならびに（ｊ）前記の蒸気冷媒構成要素を凝縮するのに適した凝縮装置、ここで前記の凝縮装置は前記の分離装置および前記の蒸発装置に流体的に接続されている。
【００１８】
この発明は環境にやさしく、経済的な冷凍プロセスである。
特定の態様において、本方法および系は少なくとも部分的に太陽エネルギーにより動かされて、最も負荷が大きい時に冷却を提供する。その吸収冷媒は地球温暖化性が低く、安全に使用でき、エネルギー効率がよい。
【図面の簡単な説明】
【００１９】
【図１】図１は、ＰＡＧ潤滑剤中のＨＦＯ−１２３４ｚｅ（Ｅ）の溶解度を示すデータのグラフ表現である。
【図２】図２は、本発明の１態様に従う吸収冷凍サイクルの概略図である。
【図３】図３は、本発明の別の態様に従う別の吸収冷凍サイクルの概略図である。
【図４】図４は、吸収圧縮系（Ｂ）および蒸気圧縮系（Ａ）の１態様の概略図である。
【図５】図５は、ライフサイクル気候性能（Ｌｉｆｅ  Ｃｙｃｌｅ  Ｃｌｉｍａｔｅ  Ｐｅｒｆｏｒｍａｎｃｅ）（ＬＣＣＰ）でのＧＷＰ影響を示すデータのグラフ表現である。
【図６】図６は、低減した効率の影響を含むＬＣＣＰでのＧＷＰ影響を示すデータのグラフ表現である。
【発明を実施するための形態】
【００２０】
吸収系および蒸気圧縮系は両方とも、吸収技術に関して熱的エネルギーＱｉｎ、または軸仕事Ｗｓｈまたは機械的蒸気圧縮の使用により熱エネルギーを低温のリザーバー（冷却負荷）から高温のリザーバー（周囲）に移すカルノー理想化エネルギー変換サイクルにより作動する。図４の図説は、そのような系のそれぞれの一般化されたバージョンの簡略図を提供する。これらの図面を見て分かるように、吸収および蒸気圧縮系は両方とも熱を周囲と交換するための凝縮装置、膨張装置、およびその系の冷却を行うための蒸発装置を利用する。主な違いは、吸収系は冷媒および吸収剤の間の化学ポテンシャルの使用により“熱的”または“化学的”圧縮機として働くように熱的エネルギーを利用し、一方で蒸気圧縮系はしばしば電気的である軸動力を引く機械的圧縮機を利用することである。出願者は、その冷媒の圧縮を効率的に行う適切な冷媒−吸収剤ペアを同定することにより、効率的な吸収系を見つけ出した。多くの態様において、吸収系における唯一の稼動部はポンプであり、それはその系全体の長い寿命を提供する。
【００２１】
本発明の特定の態様において、１から８個までの炭素原子（Ｃ１〜Ｃ８）を有するフッ素化有機化合物および特定の態様において特定のハイドロフルオロオレフィンおよび／またはハイドロクロロフルオロオレフィン化合物が含まれるフッ素化有機化合物を含む特定の冷媒／吸収剤ペアは吸収冷凍における使用に十分に適しており、特定の利点を有する。特定の態様において、本発明に従うフッ素化有機化合物、特に、排他的にではないが、特定のハイドロフルオロオレフィンおよび／またはハイドロクロロフルオロオレフィン化合物、および／またはＣ２〜Ｃ４ハイドロフルオロオレフィンおよび／またはハイドロクロロフルオロオレフィン化合物は冷媒として利用され、その吸収剤部分はフッ素化有機化合物または非フッ素化油のどちらかである。ハイドロフルオロオレフィン類、例えばＨＦＯ−１２３４ｙｆ（例えば１，１，１，２−テトラフルオロプロペン）およびＨＦＯ−１２３４ｚｅ（Ｅ）（例えば１，１，１，３−テトラフルオロプロペン）（それらに限定されない）は、優秀な冷凍能力およびそれらを環境に優しいものにする非常に短い大気での寿命を有することが分かっており、本発明に従う使用、好ましくは冷媒としての使用に好ましい。ハイドロクロロフルオロオレフィン類、特にモノクロロトリフルオプロペン類、例えばＨＣＦＯ−１２３３ｚｄ（１−クロロ−３，３，３−トリフルオロプロペン）（それに限定されない）も優秀な冷凍能力およびそれらを環境に優しいものにする非常に短い大気での寿命を有することが分かっており、本発明に従う使用、好ましくは吸収剤としての使用に好ましい。これらの冷媒は、銅およびアルミニウムと併用可能であるという追加の利益も有する。銅およびアルミニウムの使用は両方とも、向上した熱伝達により効率を増大させ、全体の費用を減少させる。
【００２２】
特定の態様において、本発明の吸収冷凍流体は、吸収剤として働き、比較的高い沸点を有する第１のフッ素化有機化合物、および冷媒として働き、比較的低い沸点を有する第２のフッ素化有機化合物を含む。特定の場合において、その第１のフッ素化有機化合物を含む吸収剤は、その第２のフッ素化有機化合物を含む溶質の沸点よりも少なくとも４０℃高い沸点を有する。さらなる態様において、その吸収剤化合物は非イオン性化合物であり、また、その冷媒中の炭素／酸素原子の総数よりも少なくとも２（２）大きい炭素／酸素原子の総数を有する。従って、その冷媒が１種類以上のＣ１〜Ｃ４フッ素化化合物、または１種類以上のＣ２〜Ｃ４ハイドロフルオロオレフィンおよび／またはハイドロクロロフルオロオレフィン化合物を含む態様では、その吸収剤化合物は１種類以上のＣ２〜Ｃ８フッ素化化合物、特定の態様において１種類以上のＣ３〜Ｃ８ハイドロフルオロオレフィンおよび／またはハイドロクロロフルオロオレフィン化合物を含む。
【００２３】
そのような態様の特定の観点に従って、その流体の吸収剤部分は、フルオロエーテル類、フルオロケトン類、ＨＦＣ類、ＨＦＯ類（ＨＦＣＯ類が含まれる）、およびこれらのものの組み合わせからなるグループから選択され、そのペアの冷媒部分はＨＦＣ類、ＨＦＯ類（ＨＦＣＯ類が含まれる）、ＣＯ２およびこれらのものの組み合わせからなるグループから選択される。本発明に従う溶媒としての使用のためのフルオロエーテルの限定的でない例は、メチルノナフルオロブチルエーテルである。本発明に従う吸収剤としての使用のためのフルオロケトンの限定的でない例は、ペルフルオロ（２−メチル−３−ペンタノン）である。本発明に従う吸収剤としての使用のためのＨＦＣの限定的でない例は、ＨＦＣ−２４５ｆａ（例えば１，１，１，３，３−ペンタフルオロプロパン）である。本発明に従う吸収溶媒としての使用のためのＨＦＯの限定的でない例は、ＨＦＯ−１２３３ｚｄであり、ＨＦＯ−１２３３ｚｄ（Ｅ）が含まれる。本発明に従う冷媒としての使用のためのＨＦＯの限定的でない例は、ＨＦＯ−１２３４ｙｆである。本発明に従う冷媒としての使用のためのＨＦＣの限定的でない例は、ＨＦＣ−３２（ジフルオロメタン）である。本発明に従う特に好ましいものは、排他的にではないが、ペアＨＦＣ３２／ＨＦＣ−２４５ｆａ、ＨＦＣ−３２／ＨＦＯ１２３４ｙｆ、ＨＦＣ−３２／１２３３ｚｄ（Ｅ）およびＨＦＯ−１２３４ｙｆ／１２３３ｚｄ（Ｅ）であり、最も好ましくは、排他的にではないが、ソーラーパワーの形でのエネルギー入力を含む吸収冷凍系と関連したそのようなペアの使用であり、さらにもっと好ましくは、排他的にではないが、商業的な系のピーク需要を減少させるためのそのようなソーラーパワーエネルギー入力の使用である。
【００２４】
この発明のための冷媒は前記の態様に限定されず、式ＣｗＨｘＦｙＣｌｚのハイドロフルオロオレフィン類およびハイドロクロロフルオロオレフィン類も含まれ、ここでｗは３から５までの整数であり、ｘは１から３までの整数であり、ｚは０から１までの整数であり、ここでｙ  ＝  （２・ｗ）−ｘ−ｚである。特定の冷媒には、テトラハロプロペン類、例えばテトラフルオロプロペン類およびモノ−クロロ−トリフルオロプロペン類、または−ＣＦ３部分を有するテトラハロプロペン類、例えば１，１，１，２−テトラフルオロプロペン、１，３，３，３−テトラフルオロプロペン、１−クロロ−３，３，３−トリフルオロプロペン（それらの全ての立体異性体、例えばトランス−１，３，３，３−テトラフルオロプロペン、シス−１，３，３，３−テトラフルオロプロペン、トランス−１−クロロ−３，３，３−トリフルオロプロペン、シス−１−クロロ−３，３，３−トリフルオロプロペンが含まれる）ならびに３，３，３−トリフルオロプロペンが含まれるハイドロハロプロペン類が含まれる。特定の有用な冷媒は、２種類以上のハイドロフルオロオレフィン類、ハイドロクロロフルオロオレフィン類の混合物、ならびにハイドロフルオロオレフィン類およびハイドロクロロフルオロオレフィン類両方の混合物も含む。
【００２５】
本発明の特定の態様において、ハイドロフルオロオレフィンおよび／またはハイドロクロロフルオロオレフィン冷媒を吸収型冷凍系において作動流体、すなわち熱力学サイクルによりガスから液体に、またはその逆に状態を変化させる流体として用いる。この相変化は、その気相冷媒を（本明細書で提供される追加の吸収剤と共に吸収剤としての）油溶媒中で溶解させて溶液を形成することにより促進される。好ましくは、排他的にではないが、その溶液の圧力および温度をそれぞれ効率的に増大させるためにポンプおよび熱交換器を用いる。次いでその加圧および加熱した溶液をフラッシュさせて高圧の冷媒蒸気を生成する。次いでこの高圧の蒸気を凝縮装置および蒸発装置を通過させて熱を系から移して冷却する。
【００２６】
本発明において有用な溶媒は、ポリアルキレングリコール油、ポリアルファオレフィン油、鉱油およびポリオールエステル油からなるグループから選択されてよい。選択される油は一般に熱的に安定であり、非常に低い蒸気圧を有し、非毒性および非腐食性である。これらの基準に適合し、上記の様々なオレフィン類と共に用いることができる特定の油は、ポリエチレングリコール油、ポリオールエステル油、ポリプロピレングリコールジメチルエーテルに基づく油および鉱油である。そのような油は、本明細書で論じるように、単独または本明細書で論じるフッ素化吸着剤の１種類以上との組み合わせのどちらかで、吸収能力においても作用することができる。この目的のため、冷媒および溶媒の混合に関する本明細書における論考は、その冷媒、フッ素化吸着剤および溶媒が含まれる溶液に等しく適用可能である。
【００２７】
特定の態様において、その冷媒および溶媒は、その冷媒をその溶媒中で溶解させた溶液を形成するのに有効な割合で、および条件の下で混合される。好ましくは、排他的にではないが、その冷媒および溶媒の混合は、その溶媒と混合された冷媒の実質的な割合、または実質的に全部がその溶媒中で溶解する割合においてである。すなわち、特定の態様において、その溶媒と混合されるべき冷媒の量は、その冷媒系の作動温度および圧力におけるその溶媒の飽和点より下である。その冷媒の濃度をその飽和点より下で維持することは、蒸気冷媒がそのポンプに到達してキャビテーションをもたらし得る可能性を減少させる。
【００２８】
その冷媒および溶媒はミキサーにより混合されてよい。そのようなミキサーには静的ミキサーおよび吸引装置（すなわちベンチュリーポンプ）が含まれるが、それらに限定されない。特定の態様において、そのミキサーは乱流を生成する２つのトランスファーライン（例えばパイプ、チューブ、ホース、および同様のもの）の単純な合流点、例えばＴ継手（ｆｉｔｔｉｎｇ）である。
【００２９】
油溶媒中での低圧気相冷媒の溶解は、約−１０℃〜約３０℃、または約０℃〜約１０℃の冷媒温度において起こってよい。
その冷媒のその溶媒中での溶解は、少なくとも大部分まで、吸収装置中で起こってよい。その吸収装置は、冷媒ガスを油に基づく溶媒中に溶解させるのに適したあらゆるタイプのものであることができる。吸収装置の例には、それを通して、またはその周囲で冷却媒体が循環する熱交換器が含まれる。
【００３０】
その冷媒および溶媒を含む溶液を抵抗の手段に対してポンプで押し、その溶液の圧力を増大させる。その液体溶液を高い作動圧力までポンプで押すことは、典型的には圧縮機を用いる蒸気冷媒の圧縮と比較してかなり小さいエネルギーを必要とする。より小さいエネルギーを消費することに加えて、ポンプは典型的には圧縮機と比較して設置および維持するのにより費用がかからない。このエネルギーおよび費用の節約は、従来の圧縮型冷凍系を超える本発明の明確な利点である。
【００３１】
その溶液は、特定の態様において、加圧された後にも加熱される。加熱は熱交換器、例えば胴管式熱交換器および平板熱交換器または蒸留カラムを用いて成し遂げられてよい。特定の態様において、その溶液の加熱は廃熱回収ユニット（ＷＨＲＵ）（すなわち、高温のガスまたは液体の流れ、例えばガスタービンからの排出ガス、太陽集熱器において生じる熱、または発電所もしくは精製所からの廃ガス（それらに限定されない）からの熱を回収する熱交換器）を含む。ＷＨＲＵ作動媒体には、水−純水またはトリエチレングリコール（ＴＥＧ）を含む水のどちらか−熱的油または熱伝達の助けになる他の媒体が含まれてよい。他の態様において、その溶液の加熱は地熱、太陽由来の熱またはプロパンのような燃料の燃焼からの直接加熱を含む。
【００３２】
その溶液を加熱および加圧した後、それに熱力学的分離プロセスを施して蒸気冷媒画分および液体溶媒画分を生成する。そのような熱力学的分離プロセスの例には、カラム蒸留およびフラッシングが含まれる。その２つの画分は異なる相にあるため、それらは容易に分離することができる。
【００３３】
特定の態様において、その液体溶媒相は再循環されてミキサーに戻され、一方でその冷媒を含む気相は凝縮装置に移され、そこでその冷媒の少なくとも一部または実質的に全部がそれの気相から液相に変換される。
【００３４】
本発明において有用な凝縮装置のタイプは、それらがハイドロフルオロオレフィンまたはハイドロクロロフルオロオレフィン冷媒を凝縮するのに適している限り、特に限定されない。凝縮装置の例には、水平または垂直胴中式（ｉｎ−ｓｈｅｌｌ）凝縮装置および水平または垂直管中式（ｉｎ−ｔｕｂｅ）凝縮装置が含まれる。
【００３５】
その液相冷媒を、その冷媒の圧力を低下させ、対応してその冷媒を冷却するために膨張弁を通過させる。その冷却され、減圧された（ｔｈｒｏｔｔｌｅｄ）冷媒は、液相、気相、または混合相であることができる。
【００３６】
次いでその冷媒を蒸発装置を通過させ、ここで蒸発の間のその冷媒の冷却能力を用いて、その冷却する予定の系から熱を引き出す（すなわち冷凍する）。好ましくは、排他的にではないが、その系における冷却する予定の物質は、ＰＥＧのような熱伝達添加剤を含む、または含まない水であり、それを例えば冷水として空気調和のための配分系におけるエアハンドラー（ａｉｒ  ｈａｎｄｌｅｒｓ）に循環させることができる。しかし、その冷却する予定の物質は、直接空気調和のために用いられる空気であることもできる。加えて、その外部の物質は冷却される必要があるあらゆる流動可能な物質であることもでき、水または空気である場合、その冷却される物質は空気調和以外の目的（例えば食物または他の製品を冷やすこと）のために用いることができる。
【００３７】
その液相冷媒を蒸発させるために用いられる蒸発装置のタイプは、それがハイドロフルオロオレフィンまたはハイドロクロロフルオロオレフィン冷媒を蒸発させるのに適している限り、特に限定されない。有用な蒸発装置の例には、強制循環型蒸発装置、自然循環型蒸発装置、長管および短管式の縦型蒸発装置、流下薄膜型蒸発装置、水平管型蒸発装置、および平板型蒸発装置が含まれる。
【００３８】
その冷媒を蒸発させた後、それは典型的には（排他的にではないが）約３０℃〜約６０℃、特定の態様において約４０℃〜約５０℃の温度を有する低圧気相冷媒になる。その低圧気相冷媒は再循環されてそのミキサーに戻る。
【００３９】
本発明のプロセスは、特定の態様において、その冷媒および溶媒の両方が再循環される閉ループ系である。この発明に従う吸収冷媒形は、単一、二重、または三重効用吸収冷凍プロセスを含む。単一および二重効用プロセスは、下記で記述する実施例および図において記述されている。
【００４０】
理想的でない挙動特性、例えば粘性摩擦（圧力低下）、熱的混合（エネルギー交換）、質量混合（吸収および脱離の速度）を考慮すると、その系の熱伝達作用および基本的な制御は冷媒および他の系のパラメーターの選択において重要な役割を果たし得る。加えて、作動ペアの溶解度および熱物理的特性は、混合パラメーターおよび作動パラメーターの決定と関連して決定および考慮され得るであろう。その作動流体ペアの混合（熱的および質量）は、しばしば最も工学的に複雑な構成要素である吸収装置の設計に対しても重要であり得る。吸収の速度は異なる冷媒の流れの構成を決定および評価するためにも重要である可能性があり、一時的な系の起動の効果の考慮が必要である可能性がある。さらに、冷凍系への環境的作用の考慮は、流体の漏れによる直接的な寄与（流体のＧＷＰの直接的な作用）、それが消費するエネルギーの量（間接的な作用）、その装置を製造するために用いられるエネルギーの量（間接的）、およびその装置を廃棄するために用いられるエネルギーの量（間接的）の評価を含む可能性がある。低い直接的な作用を有する技術のみに限定することは、エネルギー使用および我々の環境への影響の全体的な問題を正しく解決しない。下記で説明するように、ＬＣＣＰ分析を用いて技術開発における選択を評価することができる。作動流体は低い全体的な流体ＧＷＰを有するべきであるだけでなく、それらはエネルギー独立および技術開発に向けた低減されたエネルギー消費による優れた社会への見返りも有していなければならない。この出願に関する冷媒の選択の環境への影響を決定するため、地球温暖化への直接的および間接的寄与の両方の分析が実施された。直接的な寄与は冷媒の放出に由来し、間接的な寄与はその設備により消費される力を供給するための化石燃料の燃焼による。
【００４１】
１年にわたる典型的なヒートポンプの電力消費を決定するため、冷却機に関する空調暖房冷凍協会の基準（ＡＨＲＩ  Ｓｔｄ  ５５０）からの米国のデータにわたる２９の都市の平均に関する平均された気象データを平均の米国の気象に関して用いてｂｉｎ分析（ｂｉｎ  ａｎａｌｙｓｉｓ）を行った。この分析に関する仮定には、米国に関する電気生産のｋＷ−ｈｒあたり０．６５ｋｇのＣＯ２の値、５％の年間漏出率および１５％の寿命の終了による喪失（ｅｎｄ−ｏｆ−ｌｉｆｅ  ｌｏｓｓ）、および１５年の寿命が含まれていた。その影響は、以下により決定された：
直接的  ＝  冷媒充填×（年間喪失率×寿命＋寿命の終了による喪失）×ＧＷＰ
間接的  ＝  年間電力消費×寿命×０．６５
この情報を用いてライフサイクル気候性能（ＬＣＣＰ）分析を実施し、それを本明細書の図５および６において示す。これらの結果から、その間接的な寄与因子は冷媒の放出からのあらゆる寄与を圧倒することは非常に明確である。４００レベル未満のあらゆる低減は全体に対して有意な影響を有しない。
【００４２】
以下の実施例は本発明の具体的な説明として与えられる。しかし、本発明はその実施例において示されている特定の詳細に限定されないことは特筆すべきである。
【実施例】
【００４３】
実施例１：
トランス−１，３，３，３−テトラフルオロプロペン（１２３４ｚｅ（Ｅ））のＦｏｒｄ  Ｍｏｔｏｒ  ｃｒａｆｔ油（Ｆｏｒｄ仕様書番号ＷＳＨ−Ｍ１Ｃ２３１−Ｂを満たすＰＡＧ冷媒圧縮機油）中における溶解度を、微量天秤を用いて測定した。非ランダム２液体（Ｎｏｎ−Ｒａｎｄｏｍ  Ｔｗｏ  Ｌｉｑｕｉｄ）（“ＮＲＴＬ”）活性係数モデル(Renon H., Prausnitz J. M., “液体混合物に関する過剰熱力学関数における局所組成” AIChE J., 14(1), S.135-144, 1968))を用いてそのデータの相関と共に測定されたその溶解度を、図１において示す。これらのデータから、Ｆｏｒｄ  Ｍｏｔｏｒ  Ｃｒａｆｔ油はほとんど無視できる蒸気圧を有することおよびＮＲＴＬモデルはそのデータを正確に表すことができることが分かる。
【００４４】
実施例２：
実施例１からのデータを用いて、単一効用吸収サイクルを開発した。この発明の単一効用吸収系の代表的な概略図を図２において図説する。
【００４５】
図２において、ライン１０からのＦｏｒｄ  Ｍｏｔｏｒｃｒａｆｔのポリプロピレングリコールジメチルエーテルに基づく油をライン４からの液体１２３４ｚｅ（Ｚ）冷媒と、密閉されたミキサー２０（それはライン４および１０をライン５に接続する単純な“Ｔ”接合部であることができる）の中で混合する。その混合物を、ライン５を通して吸収装置２２に送り、そこでそのガス状の１２３４ｚｅ（Ｚ）はその油の中に溶解する。その液体混合物を、ライン６を通してポンプ２４に送り、それはその混合物を加圧し、そしてその混合物をライン７を通して熱交換器／ボイラー２６に送る。ボイラー２６において、その混合物と熱が交換される。その熱の源は、その熱交換器の外部の産業的操作（例えば発電）からの廃熱であることができる。その混合物の温度を、その１２３４ｚｅ（Ｚ）冷媒がその油から分離することができる温度まで上昇させる。その加熱された混合物をライン８を通してその熱交換器から移動させて分離装置２８に導入し、それによりその冷媒は、実質的に液体状態のままであるその油から実質的に蒸気状態で分離する。次いでその油をライン９を通して、および油弁３０を通して戻し、そこでそれの圧力をライン４中の圧力と調和するように減少させる。弁３０からその油をライン１０を通してミキサー２０に戻し、そこでそれは再度その冷媒と混合され、そのプロセスを繰り返す。
【００４６】
分離装置２８から、その冷媒蒸気を、それを液化するためにライン１を通して凝縮装置３２に送る。その液体をライン２を通して、膨張弁３４を通して送り、その液体冷媒を減圧してその冷媒を冷却する。その冷却され、減圧された冷媒は、操作者の選択に依存して、液体、蒸気または組み合わせであることができる。その冷却された冷媒を蒸発装置３６を通過させ、それによりその冷媒の冷却能力を利用して蒸発装置３６と熱交換関係にある物質（水または空気）を冷却する。次いでその冷媒を蒸発装置３６からライン４を通してミキサー２０に戻し、そこでそれは再度その油と混合され、そのプロセスを再度繰り返す。
【００４７】
図２の単一効用吸収サイクルに関する入力パラメーターは、以下の通りである：
１）蒸発装置２８：２℃
２）凝縮装置３２：４０℃
３）３０００ｋＪ／ｈｒをボイラー２６に供給する
４）飽和した液体が吸収装置２２を出る
５）その蒸発装置３６をライン４を通って出る過熱：３℃
６）流れ８の組成は、９０重量％の油および１０重量％の冷媒である。
【００４８】
これらのパラメーターを用いて、１２３４ｚｅ（Ｚ）およびＦｏｒｄ  ｍｏｔｏｒ  ｃｒａｆｔ油を用いる計算された性能の係数（“ＣＯＰ”）は４．５６である。
実施例３：
二重効用吸収の代表的な概略図を図３において図説する。
【００４９】
図３において、ライン１７からのＦｏｒｄ  Ｍｏｔｏｒｃｒａｆｔのポリプロピレングリコールジメチルエーテルに基づく油をライン４からの液体１２３４ｚｅ（Ｚ）冷媒と、密閉されたミキサー４０の中で混合する。その混合物を、ライン５を通して第１吸収装置４２に送り、そこでそのガス状の１２３４ｚｅ（Ｚ）はその油の中に溶解する。その混合物を、ライン６を通して第１ポンプ４４に送り、それはその混合物を加圧し、そしてその混合物をライン７を通して第１熱交換器／ボイラー４６に送る。ボイラー４６において、その混合物と熱が交換される。その熱の源は、その熱交換器４６の外部の産業的操作（例えば発電）からの廃熱であることができる。その混合物の温度を上昇させる。その加熱された混合物をライン８を通して熱交換器４６から移動させて第２ミキサー４８に導入し、そこでそれはライン１５からの油と混合される。ミキサー４８からの混合物をライン９を通して取り出して第２吸収装置５０に導入し、その１２３４ｚｅ（Ｚ）の全部がその油中で溶解したことを確実にする。第２吸収装置５０から、その混合物をライン１０を通して第２ポンプ５２へと引き出し、それはその混合物を第２ボイラー５４へと押し出し、そこでその混合物の温度をその１２３４ｚｅ（Ｚ）冷媒がその油から分離することができる温度まで上昇させる。これを成し遂げるためにボイラー５４に熱源が提供され、その源は上記で記述したタイプのものであることができる。
【００５０】
その混合物を第２ボイラー５４から取り出してライン１２を通して分離装置５６に送り、それによりその冷媒は、実質的に液体状態のままであるその油から実質的に蒸気状態で分離する。次いでその油をライン１３を通してＴ字管５８に戻し、そこでそれはライン１４および１６の間で分けられる。ライン１４は油を第２油弁６０を通して、およびライン１５を通して第２ミキサー４８に送る。ライン１６は油を第１油弁６２を通して送り、そこでその圧力をライン４中の圧力と調和するように減少させる。次いでその油をライン１７を通してミキサー４０に送り、そこでそれは再度その冷媒と混合され、そのプロセスを繰り返す。
【００５１】
分離装置５６から、その冷媒蒸気を、それを液化するためにライン１を通して凝縮装置６４に送る。その液体をライン２を通して、膨張弁６６を通して送り、その液体冷媒を減圧してその冷媒を冷却する。その冷却され、減圧された冷媒は、操作者の選択に依存して、液体、蒸気または組み合わせであることができる。その冷却された冷媒を蒸発装置６８を通過させ、それによりその冷媒の冷却能力を利用して蒸発装置６８の外部の物質（水または空気）を冷却する。次いでその冷媒を蒸発装置６８からライン４を通してミキサー４０に戻し、そこでそれは再度その油と混合され、そのプロセスを再度繰り返す。
【００５２】
図３の二重効用吸収サイクルに関する入力パラメーターは、以下の通りである：
１）蒸発装置６８：２℃
２）凝縮装置６４  ４０℃
３）ポンプ４４を出る圧力は
【００５３】
【数１】
0005864533.tif 000002
【００５４】
である
４）１５００ｋＪ／ｈｒをボイラー４６に供給する
５）飽和した液体が吸収装置４２および吸収装置５０の両方を出る
６）その蒸発装置６８を出る過熱：３℃
７）Ｔ字管５８はその流れを、３０％を流れ１４に、および７０％を流れ１６に分ける。
【００５５】
８）流れ１２の組成は、９０重量％の油および１０重量％の冷媒である。
これらのパラメーターを用いて、１２３４ｚｅ（Ｚ）およびＦｏｒｄ  ｍｏｔｏｒ  ｃｒａｆｔ油を用いる計算されたＣＯＰは５．０４である。
【００５６】
当業者は、実行することができる上記で開示した吸収冷凍系の他の変形が存在することを認識しているであろう。例えば、Perry’s Chemical Engineers’ Handbook; Green. D. W.; Perry, R. H.; McGraw-Hill (2008) pg 11-90 - 11-93は、我々が用いるものと異なる液体を用いる吸収冷凍サイクルの他の変形を開示しているが、それらの変形の多くは別のやり方でこの発明の実施において用いることができる。
【００５７】
加えて、様々な添加剤をこの発明の冷凍系に添加することができる。例えば、そのオレフィン冷媒が使われている間に重合するのを避けるために、安定剤を添加してよい。そのような安定剤は既知であり、例えばテルペン類、エポキシド類および同様のものが含まれる。その冷媒に添加するための他の任意の添加剤には、以下のものが含まれる：
１．抗酸化剤、例えばフェノールに基づくもの、例えばＢＨＴ
２．極圧添加剤−塩素化された物質、リンに基づく物質−リン酸トリクレジル、硫黄に基づく物質
３．消泡添加剤（例えばシリコン類）
４．油性添加剤（例えば有機酸およびエステル）
５．酸捕捉剤（例えば）エポキシド類。
【００５８】
実施例４
上記で提供した図に特に関連して、その吸収サイクルの効率はＱｃｏｏｌｉｎｇ／（Ｑｉｎ＋ＷＰ）として計算される。例えＱｉｎが廃熱であると考えられ、エネルギーの“無料の”源であるとしても、これは可能性のある冷媒ペアを比較するための最高の方法である。典型的なＮＨ３−水吸収サイクルは、５℃の蒸発装置温度および４０℃の周囲温度においてＣＯＰ＝約０．５〜０．６で作動する。本発明に従う１つの吸収冷凍ペアは、ＨＦＯ−１２３４ｙｆおよびＰＡＧ油である。この特定の吸収ペアは、そのＰＡＧ油は無視できる蒸気圧を有し、従ってその発生装置における分離が非常に単純になるという事実から利益を得ている。２℃の蒸発装置温度および４０℃の周囲温度において作動させた場合、このサイクルのＣＯＰは約０．６であり、それは理想的なＮＨ３−水系のＣＯＰとほとんど同じである。
本発明は以下の態様を含む。
［１］  以下：
ａ．１から８個までの炭素原子を有する１種類以上のフッ素化有機化合物を含む第１液相冷媒流を蒸発させて低圧気相冷媒流を生成し、ここで前記の蒸発が系から熱を伝達して冷却させ；
ｂ．前記の低圧気相冷媒流を、その冷媒中の炭素／酸素原子の総数よりも少なくとも２大きい炭素／酸素原子の総数を有する１種類以上の有機化合物を含む第１液相溶媒流と、その気相冷媒流の冷媒の実質的に全部をその第１液相溶媒流の溶媒中に溶解させるのに有効な条件下で接触させて、冷媒−溶媒溶液流を生成し；
ｃ．その冷媒−溶媒溶液流の圧力および温度を増大させ；
ｄ．前記の冷媒−溶媒溶液流を熱力学的に分離して高圧気相冷媒流および第２液相溶媒流にし；
ｅ．前記の第２液相溶媒流を工程（ｂ）に再循環させて前記の第１液相溶媒流を生成し；
ｆ．前記の高圧気相冷媒流を凝縮して第２液相冷媒流を生成し；そして
ｇ．前記の第２液相冷媒流を工程（ａ）に再循環させて前記の第１液相冷媒流を生成する
を含む、冷凍を提供するための方法。
［２］  前記の第１液相溶媒流中の前記の１種類以上の有機化合物が、前記の第１液相冷媒流中の１種類以上の有機化合物の沸点よりも少なくとも４０℃高い沸点を有する、［１］に記載の方法。
［３］  前記の第１液相冷媒流中の１種類以上の有機化合物がＨＦＣ類、ＨＦＯ類、ＨＦＣＯ類、ＣＯ２、およびそれらの組み合わせからなるグループから選択される、［１］に記載の方法。
［４］  前記の第１液相冷媒流中の前記の１種類以上の有機化合物が、１，１，１，２−テトラフルオロプロペン、ジフルオロメタン、トランス−１，１，１，３−テトラフルオロプロペン、シス−１，１，１，３−テトラフルオロプロペン、３，３，３−トリフルオロプロペン、およびそれらの組み合わせの内の１種類以上から選択される、［３］に記載の方法。
［５］  前記の第１液相溶媒流中の前記の１種類以上の有機化合物が、フルオロエーテル類、フルオロケトン類、ＨＦＣ、ＨＦＯ類、ＨＦＣＯ類、およびそれらの組み合わせからなるグループから選択される、［１］に記載の方法。
［６］  前記の第１液相溶媒流中の有機化合物が、ノナフルオロブチルエーテル、ペルフルオロ（２−メチル−３−ペンタノン）、１，１，１，３，３−ペンタフルオロプロパン、１−クロロ−３，３，３−トリフルオロプロペン、およびそれらの組み合わせからなるグループから選択される、［５］に記載の方法。
［７］  前記の第１液相冷媒流中の前記の１種類以上の有機化合物が１，１，１，２−テトラフルオロプロペン、ジフルオロメタン、トランス−１，１，１，３−テトラフルオロプロペン、シス−１，１，１，３−テトラフルオロプロペン、３，３，３−トリフルオロプロペン、およびそれらの組み合わせの内の１種類以上から選択され、前記の第１液相溶媒流中の前記の有機化合物がノナフルオロブチルエーテル、ペルフルオロ（２−メチル−３−ペンタノン）、１，１，１，３，３−ペンタフルオロプロパン、１−クロロ−３，３，３−トリフルオロプロペン、およびそれらの組み合わせからなるグループから選択される、［１］に記載の方法。
［８］  前記の第１液相冷媒流中の前記の１種類以上の有機化合物が式ＣｗＨｘＦｙＣｌｚを有する少なくとも１種類の化合物を含み、ここでｗは３から５までの整数であり、ｘは１から３までの整数であり、ｚは０から１までの整数であり、そしてｙ  ＝  ２ｗ−ｘ−ｚである、［１］に記載の方法。
［９］  前記の溶媒がポリエチレングリコール油、ポリオールエステル油、ポリプロピレングリコールジメチルエーテルに基づく油および鉱油からなるグループから選択される、［１］に記載の方法。
［１０］  以下：
ａ．１種類以上のフッ素化有機化合物からなるグループから選択される冷媒；
ｂ．その冷媒の沸点よりも少なくとも４０℃高い沸点を有する１から８個までの炭素原子（Ｃ１〜Ｃ８）を有する１種類以上のフッ素化有機化合物を含む吸収剤；
ｃ．前記の冷媒を蒸発させるのに適した蒸発装置；
ｄ．前記の冷媒を前記の吸収剤と混合するのに適したミキサー、ここで前記のミキサーは前記の蒸発装置に流体的に接続されている；
ｅ．前記の冷媒の少なくとも一部を前記の吸収剤中に溶解させて溶液を生成するのに適した吸収装置、ここで前記の吸収装置は前記のミキサーに流体的に接続されている；
ｆ．前記の吸収装置に流体的に接続されたポンプ；
ｇ．前記のポンプに流体的に接続された熱交換器；
ｈ．前記の溶液を蒸気冷媒構成要素および液体吸収剤構成要素に熱力学的に分離するのに適した分離装置、ここで前記の分離装置は前記の熱交換器に流体的に接続されている；
ｉ．前記の分離装置および前記のミキサーに流体的に接続された戻り油ライン、ならびに
ｊ．前記の蒸気冷媒構成要素を凝縮するのに適した凝縮装置、ここで前記の凝縮装置は前記の分離装置および前記の蒸発装置に流体的に接続されている
を含む、吸収冷凍系。
【符号の説明】
【００５９】
１  ライン
２  ライン
４  ライン
５  ライン
６  ライン
７  ライン
８  ライン
９  ライン
１０  ライン
１２  ライン
１３  ライン
１４  ライン
１５  ライン
１６  ライン
１７  ライン
２０  ミキサー
２２  吸収装置
２４  ポンプ
２６  熱交換器／ボイラー
２８  分離装置
３０  油弁
３２  凝縮装置
３４  膨張弁
３６  蒸発装置
４０  ミキサー
４２  第１吸収装置
４４  第１ポンプ
４６  第１熱交換器／ボイラー
４８  第２ミキサー
５０  第２吸収装置
５２  第２ポンプ
５４  第２ボイラー
５６  分離装置
５８  Ｔ字管
６０  第２油弁
６２  第１油弁
６４  凝縮装置
６６  膨張弁
６８  蒸発装置
【図１】
0005864533.tif 000003
【図２】
0005864533.tif 000004
【図３】
0005864533.tif 000005
【図４】
0005864533.tif 000006
【図５】
0005864533.tif 000007
【図６】
0005864533.tif 000008